(57)【特許請求の範囲】
【請求項１】
弾力性のある細長いキャリア要素と、払拭対象の風防窓に当接して配置することのできる細長いワイパブレード（２）とを備え、
前記ワイパブレード（２）が少なくとも１つの長手方向の溝（３）を含み、前記溝（３）内に長手方向の帯片（４）であるキャリア要素が配置された、風防窓用ワイパ装置（１）であって、
当該風防窓用ワイパ装置（１）が、揺動アーム（７）用の接続装置（６）を備え、前記揺動アーム（７）がその一端近傍で継合部品（８）を介在して枢支軸線を中心に前記接続装置に枢結された、風防窓用ワイパ装置（１）において、
当該風防窓用ワイパ装置（１）は、前記接続装置（６）の開放端が被覆される閉位置と、前記開放端を介して前記揺動アーム（７）を前記接続装置（６）に着脱することのできる開位置との間で移動可能に前記接続装置（６）に取り付けられるカバー要素（９）を備え、
前記カバー要素（９）が、前記揺動アーム（７）を前記接続装置（６）に係止するためのリブ（３０）からなる係止要素を備え、
前記カバー要素（９）が、当該風防窓用ワイパ装置（１）の長手軸線を中心に前記カバー要素（９）の回転によって前記開位置と前記閉位置との間で移動可能であることを特徴とする、風防窓用ワイパ装置（１）。
【請求項２】
前記接続装置（６）および前記カバー要素（９）が、前記カバー要素（９）を閉位置に維持するために互いに連携する突起（２３）または凹所（２５）のうちの少なくとも１つを備える、請求項１に記載の風防窓用ワイパ装置（１）。
【請求項３】
前記継合部品（８）および前記カバー要素（９）が、前記継合部品（８）における前記カバー要素（９）の閉止動作中の案内のために、互いに連携する突起（１６）または凹所（１８）のうちの少なくとも１つを備える、請求項１又は２に記載の風防窓用ワイパ装置（１）。
【請求項４】
前記カバー要素がキャップである、請求項１〜３のいずれか一項に記載の風防窓用ワイパ装置（１）。
【請求項５】
請求項１〜４のいずれか一項に記載の風防窓用ワイパ装置（１）に規定されたカバー要素（９）を具備するワイパブレード（２）。
【発明の詳細な説明】
【技術分野】
【０００１】
本発明は、弾力性のある細長いキャリア要素に加えて、払拭対象の風防窓（ｗｉｎｄｓｃｒｅｅｎ）に当接して配置することのできる細長いワイパブレードをも備え、このワイパブレードが少なくとも１つの長手方向の溝を含み、その中に長手方向の帯片であるキャリア要素が配置された風防窓用のワイパ装置であって、揺動アーム用の接続装置を備え、前記揺動アームがその一端近傍で継合部品を介在して枢支軸線周りに前記接続装置に枢結された、風防窓用ワイパ装置に関する。
【背景技術】
【０００２】
前述したような風防窓用ワイパ装置は一般に知られている。先行技術の風防窓用ワイパ装置は、いわゆる「フラットブレード」または「ヨークレスブレード」として設計され、互いに枢結された幾つかのヨークは使用されないが、ワイパブレードはキャリア要素によってそらされ、その結果ワイパブレードは特定の曲率を示す。ワイパブレードを揺動アームに着脱するために、接続装置の一端は、揺動アームの導入または取出しのための空間をもたらすよう開放されている。接続装置の開放端の不利点は、鋭利な縁部が存在し得ること、および／または紫外線に対する防御が得られないことである。
【発明の概要】
【発明が解決しようとする課題】
【０００３】
本発明の目的は、鋭利な縁部を回避し、かつ／または紫外線に対する防御をもたらしながら、揺動アームの効率的かつ／または容易な導入および／または取外しを容易にする風防窓用ワイパ装置を提示するという意味で、この不利点を解消することである。
【課題を解決するための手段】
【０００４】
この目的を達成するために、導入部で言及した種類の風防窓用ワイパ装置は、前記風防窓用ワイパ装置が、接続装置の開放端が被覆される閉位置と前記開放端を介して揺動アームを接続装置に着脱することのできる開位置との間で移動可能に前記接続装置に装着されるカバー要素を備えることを特徴とする。このカバー要素の利点は、鋭利な縁部が回避され、かつ／または紫外線に対する防御がもたらされる閉位置とワイパアームの導入または取外しのための空間が存在する開位置との間で、容易に移動することができることである。そのようなカバー要素の別の利点は、閉位置で風防窓用ワイパ装置の美的外観がもたらされること、および／または閉位置でワイパアームが接続装置上に係止されることである。カバー要素はキャップであることが好ましい。
【０００５】
本発明に係る風防窓用ワイパ装置の好適な実施形態では、カバー要素は、風防窓用ワイパ装置の長手方向軸線を中心としたカバー要素の回転によって、前記開閉位置間で移動可能である。長手方向軸線を中心としてカバー要素の回転の利点は、カバー要素の開放方向が衝撃発生時にワイパアームによってカバー要素に対して働く長手方向の力に対して垂直であるので、衝撃による長手方向の力が加えられた場合でも、カバー要素がその開位置に移動しないことである。
【０００６】
本発明に係る風防窓用ワイパ装置の別の好適な実施形態では、カバー要素はアームを接続装置に係止するための係止要素を備える。この係止要素の利点は、衝撃による力がワイパアームに加えられた場合でも、ワイパアームの長手方向の移動ができないように、ワイパアームが接続装置に係止されることである。前記係止要素はリブであることが好ましい。
【０００７】
本発明に係る風防窓用ワイパ装置の別の好適な実施形態では、接続装置およびカバー要素は、カバー要素を閉位置に維持するための互いに連携する突起または凹所のうちの少なくとも１つを備える。そのような連携部を利用して、カバー要素を接続装置に挟着することによって、カバー要素を接続装置にしっかりと取り付けることができる。
【０００８】
本発明に係る風防窓用ワイパ装置の別の好適な実施形態では、継合部品およびカバー要素は、カバー要素を閉位置で継合部品に取り付けるために、互いに連携する突起または凹所のうちの少なくとも１つを備える。そのような連携部を利用して、カバー要素は、カバー要素を継合部品に挟着することによって、継合部品にしっかりと取り付けることができる。継合部品は単独で接続装置にしっかりと取り付けられるので、たとえ衝撃が発生した場合でも揺動アームが接続装置の所定の位置に確実に維持されるように、全ての部品間の確実な接続がもたらされる。
【０００９】
次に、本発明について、図面に示す図を参照しながら、さらに詳細に説明する。
【図面の簡単な説明】
【００１０】
【図１】本発明に係る風防窓用ワイパ装置の斜視図である。
【図２Ａ】継合部品とカバー要素が分解されたときの接続装置の好適な実施形態の斜視図である。
【図２Ｂ】継合部品とカバー要素が組み立てられ、カバー要素が閉位置にあるときの接続装置の好適な実施形態の斜視図である。
【図２Ｃ】継合部品とカバー要素が組み立てられ、カバー要素が開位置にあるときの接続装置の好適な実施形態の斜視図である。
【図３Ａ】図１の風防窓用ワイパ装置におけるワイパアームの導入ステップの最初の段階を示す斜視図である。
【図３Ｂ】ワイパアームの導入ステップでキャップが開位置に移動した状態を示す斜視図である。
【図３Ｃ】ワイパアームの導入ステップでワイパアームが継合部品に挟着された状態を示す斜視図である。
【図３Ｄ】ワイパアームの導入ステップでキャップが閉位置に移動した状態を示す斜視図である。
【図３Ｅ】ワイパアームの導入ステップでワイパアームが係止要素により接続装置に係止された状態を示す斜視図および部分拡大斜視図である。
【図３Ｆ】ワイパアームの導入が終了した状態を示す斜視図および部分拡大斜視図である。
【発明を実施するための形態】
【００１１】
図１は本発明に係る風防窓用ワイパ装置１を示す。前記風防窓用ワイパ装置は長手方向の溝３を備える弾性ワイパブレード２から構築され、ばね帯鋼製の長手方向の帯片４が複数、前記溝３内に装着される。前記帯片４はいわば、ゴム製ワイパブレード２用の可撓性キャリア要素を形成し、したがってワイパブレードは湾曲位置にそらされる（動作位置における曲率は払拭対象の風防窓の曲率である）。前記帯片４の隣合っている端部（図示せず）は、風防窓用ワイパ装置１の両側でそれぞれの接続部片または「エンドキャップ」５に相互接続される。接続部片５は、前記帯片４の端部に対し形状的に合致した状態で係止する（「確実係止する」または「確実な嵌合を有する」）ことに加えて、力により係止することもできる別々の構成要素とすることができる。別の好適な変形例では、前記接続部片５はばね帯鋼製の帯片４と一体の部片である。
【００１２】
風防窓用ワイパ装置１はさらに、継合部品８を介在させて揺動ワイパアーム７をワイパ装置に接続するための接続装置６から構築される。接続装置の美的外観を得、鋭利な縁部を回避し、紫外線に対する防御をもたらし、かつワイパアーム７を前記接続装置６に係止する等のために、キャップ９の形のカバー要素は、接続装置６の開放端を被覆するために接続装置６に回転自在に取り付けられる。接続装置６、継合部品８、およびキャップ９は、プラスチック材または金属、例えば鋼もしくはアルミニウムから作ることができる。揺動ワイパアーム７は、下述するように、一端近傍で枢支軸線周りに接続装置６に枢結される。
【００１３】
図２Ａを参照すると、接続装置６は、２つの側壁１０、およびワイパブレード２に、例えば溶接によりしっかりと取り付けることのできる底１０’を持つ略Ｕ字形状を有する。各側壁１０は、継合部品８を揺動アーム７の一端近傍で前記枢支軸線を中心に枢動させるために、前記継合部品８の両側で外向きに延びる筒状突起１２を受容するための筒状凹所１１を枢支軸線の位置に備える。突起１２を凹所１１に挟着することによって、継合部品８を接続装置６に取り付けることができる。
【００１４】
図２Ａに示す通り、継合部品８は、継合部品８の一端近傍に２つの突起１３を備える。突起１３は、キャップ９がその閉位置に着く前に、ワイパアーム７を正しい位置に維持する。継合部品８の各側壁１４は、継合部品８におけるキャップ９の閉止動作中の案内のために、キャップ９の突起１７と連携する２つの凹所１５、およびキャップ９の凹所１８と連携する突起１６を備える。
【００１５】
継合部品８が接続装置６に挟着されると、キャップ９を接続装置６に取り付けることができる。図２Ａに示す通り、接続装置６は、接続装置６の一端から長手方向に延びる筒状突起１９を備える。キャップ９は、キャップ９を前記接続装置６に回転自在に取り付けることができるように、突起１９を受容するための、長手方向に延びる筒状凹所２０を備える。取付位置でキャップ９は、キャップ９が接続装置６の開放端を被覆する閉位置（図２Ｂ）とワイパアーム７を導入または取り出すことのできる開位置（図２Ｃ）との間で回転することができる。キャップ９の回転は風防窓用ワイパ装置１の長手方向軸線を中心に行なわれる（図３Ａも参照）。接続装置６はさらに、閉位置で壁２１がキャップ９の凹所２２内に延びるように、キャップ９の凹所２２と連携する上方に延びる壁２１の形の突起を備える。キャップ９を閉位置で接続装置６に確実に係止するために、壁２１は、キャップ９の凹所２５および側方に延びる突起２６と互いに連携する、側方に延びる突起２３および凹所２４を備える。
【００１６】
図３Ａ〜図３Ｆは、ワイパブレード２を持つ接続装置６を揺動ワイパアーム７上に取り付けるステップを示す。継合部品８およびキャップ９はすでに接続装置７上に挟着されている。キャップ９は、風防窓用ワイパ装置１の長手軸線２７を中心に時計回り方向２８に、図３Ａに示す閉位置から図３Ｂに示す開位置に回転される。開位置で、接続装置６の受容端は、ワイパアーム７を導入することができる。Ｕ字状のワイパアーム７は、突起１３がワイパアーム７を所定の位置に維持させるように、継合部品８に挟着される（図３Ｃ参照）。ワイパアーム７の導入後に、キャップ９が、互いに連携する突起２１、２３、２６および凹所２２、２４、２５を用いて接続装置６に、かつ互いに連携する突起１６、１７および凹所１５、１８を用いて継合部品８にもしっかりと挟着されるまで、キャップ９を反時計回り方向に回転させることによって、キャップ９はその閉位置に移動する（図３Ｆをも参照）。
【００１７】
図３Ｅは、ワイパアーム７が装着位置に着き、キャップ９が閉じられた状態で、垂直方向に延びるリブ３０の形の係止要素を利用して、ワイパアーム７が接続装置６に係止されることを示す。前記リブ３０は、ワイパアーム７が、衝撃による力が加えられた場合でも長手方向に移動することを防止する。キャップ９の開放方向は、ワイパアーム７によってキャップに加えられる長手方向の力に対し垂直であるので、たとえ衝撃による長手方向の力がキャップに加えられた場合でも、長手軸線２７周りのキャップ９の開放回転によりキャップ９が開位置に移動することがないことに注目されたい。したがって、ワイパアーム７は、たとえ衝撃が発生しても、接続装置６にしっかりと取り付けられている。
【００１８】
本発明は、図面に示す変形実施形態に限定されず、添付する特許請求の範囲に包含される他の好適な実施形態にも拡張される。
【図１】
0005610174.tif 000002
【図２Ａ】
0005610174.tif 000003
【図２Ｂ】
0005610174.tif 000004
【図２Ｃ】
0005610174.tif 000005
【図３Ａ】
0005610174.tif 000006
【図３Ｂ】
0005610174.tif 000007
【図３Ｃ】
0005610174.tif 000008
【図３Ｄ】
0005610174.tif 000009
【図３Ｅ】
0005610174.tif 000010
【図３Ｆ】
0005610174.tif 000011